(57)【要約】【課題】転倒防止装置を適切な位置に簡単にセットできるようにする。【解決手段】転倒防止装置は、転倒防止具であるダンパ８と、これとは別個に設けられた取付け具４、５とを備えている。取付け具４、５は、ダンパ８との連結の前に、家具１側および天井壁３側において適切な場所が選択されて固定される。取付け具はダンパ８側の係止部１４、１５を着脱可能な着脱位置において内部に嵌め入れることができ、係止位置へと移動させることで、抜け止め状態で連結される。【選択図】図１
2016063992.tif 000002
【特許請求の範囲】
【請求項１】
転倒防止対象物である物品と、前記物品の周辺で対向する壁面との間に介在されて前記物品の転倒を防止する転倒防止具を備えた転倒防止装置において、
前記転倒防止具とは別個に設けられ、前記物品と前記壁面の少なくともいずれか一方に固着されて前記転倒防止具の対応する端部を連結可能とする取付け具であって、
前記壁面側及び／又は前記物品側に固定されるベース部と、
前記ベース部に装着され、前記転倒防止具の少なくとも一方の端部に取り付けられた係止部を連結させる連結部とを備え、
前記連結部は、前記係止部を着脱可能とする着脱位置と前記係止部を着脱不能とする係止位置との間に亘って前記係止部の変位が許容されることを特徴とする転倒防止装置用取付け具。
【請求項２】
請求項１に記載の前記取付け具と、
少なくとも一方の端部に前記取付け具の前記連結部に連結される係止部が設けられた転倒防止具とを備えることを特徴とする転倒防止装置。
【請求項３】
前記取付け具は前記物品の上面と前記壁面とにそれぞれ取り付けられ、前記物品側の前記取付け具と前記壁面側の前記取付け具とは、前記物品の転倒が想定される方向に関して離間して配置されていることを特徴とする請求項２に記載の転倒防止装置。
【発明の詳細な説明】
【技術分野】
【０００１】
本発明は転倒防止装置用取付け具及び転倒防止装置に関するものである。
【背景技術】
【０００２】
下記特許文献１に開示されている転倒防止装置は、家具と天井壁との間で突っ張るように取り付けられることで、家具の転倒を防止するようにしている。転倒防止装置は、上部台板と、下部台板と、これら上下の台板の間に取付けられた支柱とを備えて構成されている。
【先行技術文献】
【特許文献】
【０００３】
【特許文献１】実用新案登録第３０２８３３４号公報
【発明の概要】
【発明が解決しようとする課題】
【０００４】
上記の転倒防止装置は家具および天井壁に対して共に固定するのでなく、突き当てる方式であるため、任意の位置にセットすることができる。このことは、逆に、家具の転倒防止の目的からして必ずしも適切でない位置にセットされてしまうことを意味している。また、地震が発生したときには、転倒防止装置が家具と天井壁との間で突っ張るため、家具や天井壁の突っ張り部位には大きな力が作用するが、転倒防止装置が強度的に十分でない部位にセットされてしまい、突っ張り部位を変形させてしまう虞もある、という問題もある。
【０００５】
本発明は上記のような事情に基づいて完成されたものであって、転倒防止装置を適切な位置に簡単にセットできる取付け具、及びそのような取付け具を備えた転倒防止装置を提供することを目的とする。
【課題を解決するための手段】
【０００６】
本発明に係る転倒防止装置は、転倒防止対象物である物品と、物品の周辺で対向する壁面との間に介在されて物品の転倒を防止する転倒防止具を備えている。この転倒防止装置に用いられる取付け具は、転倒防止具とは別個に設けられ、物品と壁面の少なくともいずれか一方に固着されて転倒防止具の対応する端部を連結可能である。取付け具は、壁面側及び／又は物品側に固定されるベース部と、ベース部に装着され、転倒防止具の少なくとも一方の端部に取り付けられた係止部を連結させる連結部とを備えて構成されている。連結部は、着脱位置において、係止部を組み込むことができる。組み込み後に、係止部を係止位置へ変位させると、係止部は連結部に対して抜け止め状態で組付けられる。
【０００７】
ここで、物品の語には、家具、ベッド、大型テレビ、冷蔵庫、書棚、ショーケース、サーバラック等、地震等の発生によって転倒する虞のあるものが含まれる。
【発明の効果】
【０００８】
本発明の取付け具は、転倒防止具とは分離された構成であるため、一般ユーザが転倒防止具をセットする前に、物品及び／又は壁面に事前に取付けておくことができる。したがって、強度的に十分な部位であったり、転倒防止に有効に機能する部位を熟知する、物品の販売店あるいは壁の施工業者において、取付け具を固定しておくことができる。
【０００９】
また、一般ユーザが転倒防止具をセットするに際しても、転倒防止具の少なくとも一方の端部に形成された係止部を、取付け具の連結部に対し着脱位置において仮に装着し、その状態で係止部を係止位置へと変位させれば、係止部は連結部に対し抜け止めされた状態で装着される。この作業を転倒防止具の他方の端部においても同様に行うか、あるいは他方の端部については物品あるいは壁面の取付け位置に当接させることで、転倒防止具のセット作業を簡単に完了させることができる。
【００１０】
また、取付け具は物品の上面と壁面の双方に取り付けるとともに、物品側の取付け具と壁面側の取付け具とは、物品の転倒が想定される方向に関して離間して配置されるようにするとよい。  
本出願人は、転倒防止具をセットする場合に物品の転倒が想定される方向に関して物品の上面と壁面との間で所定の傾斜姿勢でセットされることが好ましい、との知見を得ている。物品の上面と壁面のそれぞれに、取付け具を上記のように配置しておけば、転倒防止具を自動的に所定の傾斜姿勢でセットすることができる。
【図面の簡単な説明】
【００１１】
【図１】実施形態１に係る転倒防止装置がセットされた状態を示す側断面図
【図２】取付け具とダンパの係止部の連結状況を示す斜視図
【図３】（Ａ）は家具側の取付け具の連結部に対し係止部が差し込み位置にあるときの状態を示す断面図、（Ｂ）は同じく係止位置にあるときの状態を示す断面図
【図４】レール部材とダンパ側との接続部分を示す断面図
【図５】実施形態２に係る転倒防止装置がセットされた状態を示す側断面図
【発明を実施するための形態】
【００１２】
次に、本発明を具体化した実施形態１及び２について、図面を参照しつつ説明する。
【００１３】
＜実施形態１＞  
図１から図４は本発明の実施形態１を示している。本実施形態１の転倒防止装置は、地震等により家具１（物品）を転倒させないようにすることを目的としている。図示されている家具１は、全体として高さ方向よりも前後の奥行寸法（図１等では左右方向の寸法）の方が小さい直方体形状をなしている。したがって、図１においてＰ矢印で示す方向が家具１の転倒が想定される方向ということになる。以下の説明では、図１における左方（家具１の転倒が想定される方向）を「前」、右方を「後」と呼ぶものとする。
【００１４】
家具１は家屋の室内において、側壁２を背にしつつ側壁２とは小さな隙間を空けて設置されている。また、家具１の上面と室内の天井壁３（壁面）との間にも間隔が設定されている。家具１の上面側と天井壁３側との間には転倒防止具であるダンパ８が介在されている。
【００１５】
ダンパ８は、作動油（作動流体）が封入された有底筒状のシリンダ９と、シリンダ９内に摺動自在に挿入されたピストン（図示しない）と、基端部がピストンに連結されて先端側がシリンダ９の外部へ突出したロッド１０とを備えている。ダンパ８は、さらに、シリンダ９の先端側の開口部を封止するロッドガイド（図示しない）と、ロッドガイドの内周とロッド１０の外周との間をシールするシール部材（図示しない）とを備えている。
【００１６】
ダンパ８は、収縮動作するのに伴って減衰力を発生させる。ここで、ダンパ８の収縮動作とは、シリンダ９からのロッド１０の突出長さ及びダンパ８の全長が短くなっていく動作を意味する。ダンパ８の減衰力発生のメカニズムは、周知の構造であるため、図示を省略して説明する。シリンダ９の内部は、ピストンによりロッド１０の基端部を収容するロッド側圧力室（図示省略）と、反ロッド側圧力室とに仕切られている。ピストンには、両圧力室間を連通させる絞り弁であるオリフィス（図示省略）が形成されている。オリフィスは、ダンパ８の伸縮動作に伴うロッド側圧力室と反ロッド側圧力室との間の作動油の流れに抵抗を付与して減衰力を発生する減衰力発生部として機能する。
【００１７】
ピストンには、逆止弁（図示省略）が設けられている。ダンパ８が収縮動作する際には、逆止弁が閉弁し、逆止弁における反ロッド側圧力室からロッド側圧力室への作動油の流動を阻止する。したがって、収縮動作の際には、反ロッド側圧力室からロッド側圧力室への作動油の流動経路が、オリフィスのみとなる。また、逆止弁は、ダンパ８が伸長する際に開弁し、ロッド側圧力室から反ロッド側圧力室への作動油の流動を許容する。ここで、ダンパ８の伸長動作とは、シリンダ９からのロッド１０の突出長さ及びダンパ８の全長が長くなっていく動作を意味する。また、ロッド側圧力室内には、ダンパ８が伸長するのに伴って伸長動作に抵抗する弾力を発生させるバネ（図示省略）が設けられている。
【００１８】
ダンパ８におけるロッド１０の突出端側（家具１側）には略球状に形成された係止部１４が設けられている。この係止部１４は、図２等に示すように、家具１側に固定された取付け具４に連結されている。
【００１９】
取付け具４は家具１の上面への取付けのためのベース部６を有している。家具１側の取付け具４は、家具１の上面における後端部寄り（側壁寄り）であって、図示の紙面と直交する方向に関する中央部に配置される。なお、この設置部位としては、家具１の上面のうち強度が十分に確保された部位が選択されている。
【００２０】
図２に示すように、ベース部６は方形の平板状に形成され、四隅においてねじ止めによって家具１へ固定されている。ベース部６の上面の中心部には連結部１１が一体に突設されている。連結部１１は略半球形状に形成されており、内部は中空の軸受室１３（図３（Ａ）、（Ｂ）参照）となっている。軸受室１３は係止部１４を略同心で収容可能であり、軸受室１３においては、その内壁面が、係止部１４の外周面に適合するように形成され、かつ係止部１４が軸受室１３において回動して変位できるようにしてある。
【００２１】
連結部１１の側面には係止部１４を嵌め入れ可能な大きさを持った差し込み口１６が開口している。この差し込み口１６は、取付け具４が家具１の上面に固定されたときに、図１に示すように、前方を向くように開口している。差し込み口１６の前後方向に関する開口範囲は、図３（Ａ）に示すように、ベース部６の上面から略９０度の角度範囲に設定されている。これにより、係止部１４はベース部６の上面に沿いつつ差し込み口１６と正対させ、そのまま軸受室１３内に嵌め入れることができる。
【００２２】
連結部１１の周面には、一端部がこの差し込み口１６に連通するようにして逃がし溝１８が貫通して形成されている。逃がし溝１８は差し込み口１６の頂点部から連結部１１の周面に沿いつつ後方へ向かって所定角度範囲に亘っており、均一な開口幅にて形成されている。逃がし溝１８の開口幅は、ロッド１０の外径より僅かに幅広であるが、係止部１４の外径よりは十分に幅狭に形成されている。これにより、係止部１４が軸受室１３内で回動変位することに伴い、ロッド１０は差し込み口１６から逃がし溝１８内へと変位させることができ、ロッド１０が逃がし溝１８に変位したときに係止部１４がロッド１０の延出方向に関して抜け止めされる。
【００２３】
上記したように、連結部１１において、係止部１４が内部へ嵌め入れ可能となる位置（図３（Ａ）に示す位置）が着脱位置である。また、係止部１４が連結部１１内において同心の状態を保持したまま回動変位してロッド１０が逃がし溝１８に入り込んだ位置では、係止部１４はロッド１０の延出方向への抜けが規制される。この位置が、図３（Ｂ）に示す係止位置である。
【００２４】
天井壁３において家具１の上方にはレール部材２０が前後方向に沿って取付けられている。図示はしないが、レール部材２０は天井壁３の裏面に梁が設けられた部位、つまり天井壁３のうち補強がされた部位に沿って取付けられている。
【００２５】
レール部材２０は、例えばアルミニウム合金等の金属製であり、図４に示すように、断面が略Ｃ字形状をなすチャンネル状に形成されている。レール部材２０は、長手方向に沿ってチャンネル溝２３が開口しており、レール部材２０が天井壁３に取付けられた状態では、チャンネル溝２３は下方へ向いている。レール部材２０における両側片２０Ａには一対のスリット２１が設けられ、これらは前後方向に沿って所定長さ範囲に亘って貫通して形成されている。
【００２６】
レール部材２０の内部にはスライダー２２が組込まれ、レール部材２０の長手方向に沿ってスライドすることができる。スライダー２２において、レール部材２０の両側片２０Ａと対向する両面にはねじ穴２２Ａが形成されている。スライダー２２に対しては、両スリット２１を通して止めねじ２４が締め込まれるようにしてあり、止めねじ２４の頭部２４Ａがレール部材２０の両側片の外面に圧接するまで締め込まれることで、スライダー２２はレール部材２０の任意の位置に固定される。スライダー２２には取付け具５が連結されている。天井壁３側の取付け具５の基本的構成は、家具１側の取付け具４と同様であるが、ベース部７の裏面にスライダー２２へねじ込まれる連結ねじ部２５が設けられている点で相違している。このことにより、天井壁３側の取付け具５はスライダー２２と共にレール部材２０に沿って前後方向変位することができる。
【００２７】
図１に示すように、天井壁３側の取付け具５は、レール部材２０に装着された状態で差し込み口１７が後方へ向くように開口しており、つまり家具１側の取付け具４における差し込み口１６とは反対向きに開口している。
【００２８】
一方、ダンパ８のシリンダ９の端部にもロッド１０と同径の接続軸部２６が同軸で延出し、その先端部には前記した家具１側の係止部１４と同一構成の係止部１５が形成されている。天井壁３側の係止部１５も、家具１側の係止部１４と同様、着脱位置において取付け具５の軸受室３３へ差し込み可能であり、接続軸部２６が差し込み口１７から逃がし溝１９側へと変位することで、係止部１５が抜け止め状態となる係止位置へと変位しうる。
【００２９】
本実施形態１においては、ダンパ８がセットされる際に、天井壁３側の取付け具５と家具１側の取付け具４とは前後方向に関して所定距離だけ離間した位置に配されるようにしてある。具体的には、図１に示すように、天井壁３側の取付け具５が前方に、家具１側の取付け具４が後方に位置するように配されている。これによって、ダンパ８が両取付け具４、５に連結されたときには、ダンパ８の姿勢が鉛直方向に対して所定の傾斜角度範囲（１５度以上２５度以下）となるようにしてある。
【００３０】
次に、上記のように構成された転倒防止装置において、ダンパ８をセットする作業の一例を説明する。ダンパ８のセット作業に先立って、家具１側及び天井壁３側の双方に取付け具４、５の固定作業を行う。家具１側については、家具１の上面の所定位置（第１の取付け位置：補強された部位である）に、ベース部６をねじ締めすることによって固定する。その場合、差し込み口１６が前方を向いて開口するようにしておく。
【００３１】
天井壁３側については、取付け具５が予め装着された状態のレール部材２０を前後方向に沿うようにして取付けておく。この場合、レール部材２０が天井壁３の図示しない梁に沿うようにしておけば、レール部材２０は天井壁３のうち補強がされた部位に取付けられることになり、結果として取付け具５もまた補強された部位に取付けられていることになる。
【００３２】
また、両止めねじ２４を緩めておき、スライダー２２が取付け具５と共にレール部材２０に沿って変位できるような状態としておく。そして、望ましくは、天井壁３側の取付け具５が正規の取付け位置として予定されている位置（第２の取付け位置：ダンパ８がセットされたときに前記した所定の傾斜姿勢が得られる位置）より若干前方へずらしておくと良い。
【００３３】
上記のようにして取付け具４、５が事前に取付けられたら、家具１側の取付け具４に対するダンパ８の連結作業がなされる。すなわち、ダンパ８全体を略横向き姿勢にしつつ、ロッド１０側の係止部１４が差し込み口１６に対して正対させる。係止部１４はこのときの着脱位置において軸受室１３内に嵌め入れられる（図３（Ａ）参照）。
【００３４】
次いで、係止部１４を中心にしてダンパ８全体を起立方向に回動させる。そして、他側（天井壁３側）の係止部１５を天井壁３側の取付け具５の差し込み口１７に対して着脱位置にて正対させて軸受室３３へと嵌め入れる。そして、スライダー２２をレール部材２０に沿って第２の取付け位置へ向けて後方へと変位させる。この変位動作に伴い、天井壁３側の取付け具５においては係止部１５が係止位置へと変位するため、天井壁３側の係止部１５は取付け具５に対して抜け止め状態となる。この後、両止めねじ２４を締め込んでスライダー２２をレール部材２０に対して固定すれば、取付け具５は第２の取付け位置に固定される。
【００３５】
上記したように、天井壁３側の取付け具５が第２の取付け位置へ向けて変位することに伴い、ダンパ８は徐々に起立するため、家具１側においても、ロッド１０が逃がし溝１８に対してより深く入り込むため、係止部１５が正しく係止位置に至り、係止部１５の抜け止め状況がより確実なものとなる。
【００３６】
かくして、ダンパ８のセット作業が完了すれば、地震が発生して家具１が前方（図１のＰ矢視方向）へ傾こうとした場合において、ダンパ８はロッド１０を収縮させるよう作用して減衰力を発生させる。このため、家具１の前方への傾き角度と傾き速度が抑制されて、家具１が側壁２から離間する方向への転倒を防止することができる。
【００３７】
また、本実施形態１によれば、ダンパ８のセット状態では、図１に示すような傾斜姿勢（鉛直方向に対して１５度以上、２５度以下の範囲で傾いた姿勢）にて家具１と天井壁３間に介在される。このようにダンパ８を傾斜姿勢でセットした場合には、直立姿勢でセットした場合よりもより効果的に家具の転倒防止を達成しうる。このことは、本出願人が出願前において得ている知見による。
【００３８】
ところで、本実施形態１におけるダンパ８は、従来のように家具１側及び天井壁３側に対する取付け部分を一体に設けるのではなく、取付け部分のみを切り離し、別体の取付け具としている。したがって、ダンパ８のセット作業に先立って家具１側と天井壁３側の双方において取付け具４、５を固定しておくことができる。すなわち、取付け具４、５は、一般ユーザがダンパ８をセットする前に、家具１、天井壁３において強度的に十分な部位、及び転倒防止に有効に機能する部位を熟知する、販売店あるいは壁の施工業者において固定しておくことができる。
【００３９】
また、一般ユーザがダンパ８をセットするに際しても、ダンパ８の家具１側及び天井壁３側の双方の端部に設けられた係止部１４、１５を、取付け具４、５の連結部１１、１２に対し着脱位置から係止位置へと変位させるだけで抜け止め状態にして連結させることができる。したがって、ダンパ８のセット作業を簡単に完了させることもできる。
【００４０】
既述したように、本実施形態１においては、家具１側と天井壁３側とで取付け具４、５の取付け位置（第１の取付け位置と第２の取付け位置）を前後にずらして設定しておくようにした。このため、ユーザはダンパ８は傾斜姿勢で取り付けられるべき、との認識がなくとも、両取付け具４、５の取付け位置にしたがってダンパ８を装着すれば、ユーザをしてダンパ８を自動的に所定の傾斜姿勢にてセットさせるよう導くことができる。
【００４１】
＜実施形態２＞  
図５は本発明の実施形態２を示している。本実施形態２では、ダンパ３０を家具１と側壁２との間に介在させるようにしている。また、実施形態１で用いられたダンパ８は収縮動作をするのに伴って減衰力を発揮する形式であったが、実施形態２で用いられるダンパ３０は伸長動作に伴って減衰力を発揮する形式である。ダンパ３０の伸長動作とは、シリンダ３１からのロッド３２の突出長さ及びダンパ３０の全長が長くなっていく動作を意味する。
【００４２】
ダンパ３０の減衰力発生のメカニズムは、周知の構造であるため、図示を省略して説明する。シリンダ３１の内部は、ピストンによりロッド３２の基端部を収容するロッド側圧力室（図示省略）と、反ロッド側圧力室とに仕切られている。ピストンには、両圧力室間を連通させるオリフィス（図示しない）が形成されている。オリフィスは、ダンパ３０の伸縮動作に伴うロッド側圧力室と反ロッド側圧力室との間の作動油の流れに抵抗を付与して減衰力を発生する減衰力発生部として機能する。
【００４３】
ピストンには、逆止弁（図示省略）が設けられている。ダンパ３０が伸長動作する際には逆止弁が閉弁し、逆止弁におけるロッド側圧力室から反ロッド側圧力室への作動油の流動を阻止する。したがって、伸長動作の際には、ロッド側圧力室から反ロッド側圧力室への作動油の流動経路が、オリフィスのみとなる。また、逆止弁は、ダンパ３０が収縮する際に開弁し、反ロッド側圧力室からロッド側圧力室への作動油の流動を許容する。
【００４４】
側壁２において家具１より上位の部位には、レール部材２０が上下方向に沿って取付けられている。本実施形態２においては、家具１側の取付け具４と側壁２の取付け具５とは共に前後方向に沿う位置に配される点は実施形態１と同様であるが、実施形態１とは逆に、家具１側の取付け具４が前方に位置し、側壁２側の取付け具５が後方に離間して位置するようにしてある。
【００４５】
また、家具１側の取付け具４は、差し込み口１６が前方を向いて開口するようにして家具１の上面に取り付けられ、側壁２側の取付け具５は、差し込み口１７が上方を向いて開口するようにして側壁に取付けられている。
【００４６】
他の構成は実施形態１と同様であるため、同一の部材については同一符合を図面中に付すことで重複した説明はしない。
【００４７】
上記のように構成された本実施形態２においても、ダンパ３０のセット作業に際しては第１の取付け位置に固定された家具１側の取付け具４への連結が先行してなされ、その後に側壁２側の取付け具５への連結がなされる。側壁２側の取付け具５は予め下方にずらした位置にて、つまりダンパ３０ができるだけ寝せた姿勢にして係止部１５を差し込み口１７を介して軸受室３３へと嵌め入れる。その後に、取付け具５をスライダー２２と共にレール部材２０に沿って上方へとスライドさせて第２の取付け位置に至らせる。この状態で、止めねじ２４を締め込めば、取付け具５は第２の取付け位置に固定される。側壁２側の取付け具５が第２の取付け位置へ移動することに伴って、側壁２側の係止部１５は差し込み位置から係止位置へと変位するため、ダンパ３０の延出方向への抜け止めがなされる。かくして、ダンパ３０が家具１側及び側壁２側の取付け具４、５に連結される。
【００４８】
上記のように構成された本実施形態２において、地震の発生により家具１が図５に示すＰ矢印方向に揺れ動くと、ダンパ３０が伸長動作をするため、ダンパ３０は減衰力を発生させるので、家具１は傾き角度と傾き速度が抑制されて転倒防止が達成される。
【００４９】
上記のように構成された実施形態２によれば、実施形態１の効果に加えて、次の作用効果が得られる。すなわち、レール部材２０が家具１の後方の側壁に取付けられるため、レール部材２０が天井壁３に取付けられていた場合と比較して、レール部材２０が家具１の前方から視認されにくく、またダンパ３０自体も実施形態１とは逆に後傾姿勢となることから、ダンパ３０も視認されにくい。したがって、家具１およびその周辺空間の美観保持に寄与する。
【００５０】
＜他の実施形態＞
本発明は上記記述及び図面によって説明した実施形態に限定されるものではなく、例えば次のような実施形態も本発明の技術的範囲に含まれる。  
（１）上記実施形態では、家具１側と天井壁３あるいは側壁２側の双方に取付け具４、５を固定するようにしたが、いずれか一方にのみ取付け具を固定し、他方はダンパ８、３０の端部を家具１、側壁２あるいは天井壁３に当接させるようにしてもよい。  
（２）上記実施形態では、天井壁３あるいは側壁２に対してレール部材２０を設け、取付け具５を間接的に天井壁３あるいは側壁２に固定するようにし、その上でこれら壁側に対するダンパ８、３０の取付け位置を調整可能とした場合を示したが、レール部材２０を廃して、ダンパ８、３０の端部を天井壁３あるいは側壁２に対して直接取り付けるか、あるいは直接当接させるようにしてもよい。  
（３）上記実施例では、転倒防止装置が一般の家屋内で使用される場合を説明したが、他の使用箇所としては、例えば図書館、オフィス、書店、独自の免振装置を備えたサーバルーム等が挙げられる。  
（４）実施形態では、スライダー２２の両側から一対の止めねじ２４を締め込んでレール部材２０に対する位置決めを行ったが、スライダー２２の片側のみに止めねじ２４を締め込むようにしてもよい。
【００５１】
（５）上記実施例では、転倒防止具としてダンパ８、３０を用いたが、物品の転倒防止の機能を発揮し取付け具４、５によって連結可能となる如何なる形式のものも適用可能である。  
（６）上記実施例ではダンパ８が傾斜姿勢でセットされる場合を示したが、直立姿勢でセットされるようにしてもよい。
【符号の説明】
【００５２】
１…家具（物品）  ２…側壁（壁面）  ３…天井壁（壁面）  ４、５…取付け具  ６、７…ベース部  ８、３０…ダンパ（転倒防止具）  １１、１２…連結部
１４、１５…係止部
【図１】
2016063992.tif 000003
【図２】
2016063992.tif 000004
【図３】
2016063992.tif 000005
【図４】
2016063992.tif 000006
【図５】
2016063992.tif 000007